(57)【要約】【課題】省エネルギーを実現することができる洗濯機の電源制御装置を提供すること。【解決手段】電源制御装置１０は、扉体スイッチ２と直列に接続されたラッチングリレー３と、扉体スイッチ２とラッチングリレー３のそれぞれの共通端子を接続するａ接点リレー４とを有し、扉体３９の開閉により、扉体スイッチ２およびラッチングリレー３を介して制御手段５に対して、電力を供給して起動させ、あるいは、電力を遮断する構成とすることにより、扉体３９の開閉によって制御手段５を起動、停止することができるので、洗濯機未使用時には電力を消費せず、省エネルギーを実現することができる。【選択図】図２
2020188969.tif 000002
【特許請求の範囲】
【請求項１】
有底円筒状に形成された水槽と、前記水槽内に回転自在に配設された有底円筒形の回転ドラムと、前記回転ドラムを回転駆動するモータと、前記回転ドラム、水槽、モータ等から成る振動系の水槽ユニットを揺動自在に弾性支持した外箱と、前記外箱前面部に開閉自在に設けられた扉体と、前記扉体の開閉に連動して開閉する２つの接点を有する扉体スイッチと、運転コース等のモードや各種機能の選択および表示を行なう操作表示部と、交流電源から供給される電源の周波数を検知する電源周波数検知手段と、前記扉体の開閉状態を検知する扉体開閉検知手段と、前記操作表示部からの入力情報や、前記電源周波数検知手段、扉体開閉検知手段などからの情報を基に、前記モータ等を制御して、洗い、すすぎ、脱水等の各行程を制御する制御手段と、各種情報を記憶する記憶手段と、前記扉体スイッチを有し、前記モータや制御手段などへの電源供給を制御する電源制御装置とを備え、前記電源制御装置は、前記扉体スイッチと直列に接続されたラッチングリレーと、前記扉体スイッチと前記ラッチングリレーのそれぞれの共通端子を接続するａ接点リレーとを有し、前記扉体の開閉により、前記扉体スイッチおよび前記ラッチングリレーを介して前記制御手段に対して、電力を供給して起動させ、あるいは、電力を遮断する洗濯機。
【請求項２】
制御手段は、扉体を閉めて行った運転の終了時に、ラッチングリレーの接点を切り換えて扉体スイッチとの接続を遮断するとともに、ａ接点リレーの接点を開にして、交流電源の電力を遮断する請求項１に記載の洗濯機。
【請求項３】
制御手段は、扉体スイッチおよびラッチングリレーを介して電力が供給され、かつ、モータなどの負荷が所定時間動作しない時に、前記ラッチングリレーの接点を切り換えて前記扉体スイッチとの接続を遮断するとともに、ａ接点リレーの接点を開にして、交流電源の電力を遮断する請求項１または２に記載の洗濯機。
【発明の詳細な説明】
【技術分野】
【０００１】
本発明は、洗い、すすぎ、脱水行程などを自動制御して行なう洗濯機に関するものである。
【背景技術】
【０００２】
従来、この種の洗濯機に搭載されている電源制御装置は、電源の入り切りを行なうスイッチを設けた構成が提案されている（例えば、特許文献１参照）。
【０００３】
図３は、特許文献１に記載された従来の洗濯機の電源制御装置のブロック回路図である。
【０００４】
図３において、電源開閉手段５３は、負荷４１および直流電源５１に接続する交流電源４８を開閉する。電源状態表示手段５４は電源の入り／切りの状態を表示する。電源入りスイッチ５５と電源切りスイッチ５６は、それぞれ電源の入りと切りを入力するもので、ノーマルオープン型で、押されている間のみオン状態となる。電源入りスイッチ５５が押されている間、交流電源４８は直流電源５１と通電され直流電源５１は、制御手段５７へ電源を供給する。
【０００５】
制御手段５７は、双方向性サイリスタなどで構成されたパワースイッチング手段４６を介して、モータ４２、給水弁４３、排水弁４４などで構成した負荷４１を制御し、洗濯、すすぎ、脱水の各行程を逐次動作するとともに、電源開閉手段５３を閉状態としこれを保持しつづける。また、動作開始後に電源切りスイッチ５６が押されると電源開閉手段５３を開状態とするよう構成している。
【０００６】
また、直流電源５１はトランス（図示せず）、ブリッジダイオード（図示せず）、安定化電源回路（図示せず）で構成され、電源開閉手段５３が閉状態のときには制御手段５７に直流電源を供給している。電源入りスイッチ５５は、電源開閉手段５３に並列に接続されおり、電源開閉手段５３が開状態のときにも、電源入りスイッチ５５が押されているときには制御手段５７に直流電源を供給する。
【先行技術文献】
【特許文献】
【０００７】
【特許文献１】特開平１１−２３９６９０号公報
【発明の概要】
【発明が解決しようとする課題】
【０００８】
しかしながら、前記従来の構成では、電源回路の一部が常時通電されているため、洗濯機未使用時にも電力を消費するという課題を有していた。
【０００９】
本発明は、上記従来の課題を解決するもので、扉体の開閉によって制御手段を起動、停止することにより、洗濯機未使用時には電力を消費せず、省エネルギーを実現することができる洗濯機を提供することを目的とする。
【課題を解決するための手段】
【００１０】
前記従来の課題を解決するために、本発明の洗濯機は、有底円筒状に形成された水槽と、前記水槽内に回転自在に配設された有底円筒形の回転ドラムと、前記回転ドラムを回転駆動するモータと、前記回転ドラム、水槽、モータ等から成る振動系の水槽ユニットを揺
動自在に弾性支持した外箱と、前記外箱前面部に開閉自在に設けられた扉体と、前記扉体の開閉に連動して開閉する２つの接点を有する扉体スイッチと、運転コース等のモードや各種機能の選択および表示を行なう操作表示部と、交流電源から供給される電源の周波数を検知する電源周波数検知手段と、前記扉体の開閉状態を検知する扉体開閉検知手段と、前記操作表示部からの入力情報や、前記電源周波数検知手段、扉体開閉検知手段などからの情報を基に、前記モータ等を制御して、洗い、すすぎ、脱水等の各行程を制御する制御手段と、各種情報を記憶する記憶手段と、前記扉体スイッチを有し、前記モータや制御手段などへの電源供給を制御する電源制御装置とを備え、前記電源制御装置は、前記扉体スイッチと直列に接続されたラッチングリレーと、前記扉体スイッチと前記ラッチングリレーのそれぞれの共通端子を接続するａ接点リレーとを有し、前記扉体の開閉により、前記扉体スイッチおよび前記ラッチングリレーを介して前記制御手段に対して、電力を供給して起動させ、あるいは、電力を遮断する構成としたものである。
【００１１】
これにより、扉体の開閉によって制御手段を起動、停止することにより、洗濯機未使用時には電力を消費せず、省エネルギーを実現することができる。
【発明の効果】
【００１２】
本発明の洗濯機は、その電源制御装置において、扉体の開閉によって制御手段を起動、停止することにより、洗濯機未使用時には電力を消費せず、省エネルギーを実現することができる。
【図面の簡単な説明】
【００１３】
【図１】本発明の実施の形態における洗濯機の縦断面図
【図２】同洗濯機の電源制御装置のブロック回路図
【図３】従来の洗濯機の電源制御装置のブロック回路図
【発明を実施するための形態】
【００１４】
以下、発明の実施の形態について、図面を参照しながら説明する。また、この実施の形態によって本発明が限定されるものではない。
【００１５】
（実施の形態１）
図１は、本発明の実施の形態における洗濯機の縦断面図、図２は、同洗濯機の電源制御装置のブロック回路図である。
【００１６】
図１において、水槽ユニット２２は、水槽２３内に有底円筒状に形成された回転ドラム２４を回転自在に収納し、回転ドラム２４の底部となる背面側に向けて軸方向が水平または水平方向から下向き傾斜となるようにした回転軸２７を水槽２３背面に設けられた軸受２６で軸支すると共に、回転軸２７に回転ドラム駆動用のモータ２５を連結して構成されている。
【００１７】
水槽ユニット２２は、上述のように、回転ドラム２４、水槽２３、モータ２５等で構成される振動系であるが、軸心を洗濯機の外箱２１内に傾斜して配設され、外箱２１の基底部２８と水槽２３下面部に設けられた支持板２９との間に取り付けられた防振ダンパー３０によりその重量が支持され、更に、水槽２３の上部に固定された上部支持金具３１と外箱２１の上面との間に設けた防振バネ３２で揺動自在に弾性的に防振支持されている。
【００１８】
また、回転ドラム２４の前部周縁部には振動低減用で、内部に流体が封入された密閉円環状の流体バランサー３８が配設されている。
【００１９】
外箱２１の前面部傾斜面には扉体３９を開閉自在に軸支し、使用者は扉体３９部より回
転ドラム２４内方に洗濯衣類を投入する。
【００２０】
また、扉体３９の近傍には、扉体３９の開閉に連動して開閉する２つの接点を有する扉体スイッチ２が配設されている。
【００２１】
また、外箱２１の内方下面部には、モータ２５などを制御し、洗い、すすぎ、脱水等の一連の行程を制御する制御手段５（図２参照）を有する制御装置３５が配設されている。
【００２２】
運転コース等のモードや各種機能の選択は、扉体３９の上方に配した操作表示部３４の入力設定手段（図示せず）から使用者が入力して行い、制御手段５が、その入力情報を基に、表示手段（図示せず）で表示して使用者に知らせる。
【００２３】
図２において、電源制御装置１０の扉体スイッチ２は、扉体３９の開閉に連動する接点２ａ、２ｂを有し、扉体３９が閉じているときは接点２ｂ側に接続され、扉体３９が開いているときは接点２ａ側に接続される。
【００２４】
ラッチングリレー３は、制御手段５からの信号５ｂに従って、接続方向を接点３ａまたは接点３ｂに切り換える。また、ａ接点リレー４は、制御手段５からの信号５ａに従って開閉する。
【００２５】
そして、制御手段５が起動していない状態ではａ接点リレー４は開いており、また、ラッチングリレー３は接点３ａ側に接続されている。
【００２６】
また、電源周波数検知手段６は、交流電源１から供給される電源の周波数を検知し、扉体開閉検知手段７は、扉体３９の開閉状態を検知するものである。
【００２７】
ここで、運転が終了した時は、その状態では扉体３９は閉じているので扉体スイッチ２は接点２ｂ側に接続されており、制御手段５は、信号５ｂによってラッチングリレー３を接点３ａ側に接続し、信号５ａによってａ接点リレー４を開く。ａ接点リレー４が開くと、交流電源１から制御手段５と電源周波数検知手段６への電力供給が遮断される。
【００２８】
そして、洗濯物を取り出すために扉体３９を開けると、扉体スイッチ２が接点２ａ側に接続され、ラッチングリレー３は接点３ａ側に接続されているので、交流電源１から扉体スイッチ２およびラッチングリレー３を経由して、制御手段５と電源周波数検知手段６に電力が供給され、制御手段５と電源周波数検知手段６が起動する。
【００２９】
しかし、扉体３９を開けて洗濯物を取り出した後に、扉体３９が開いた状態で洗濯機を放置していても、予め決めておいた時間が経過すると、制御手段５は、信号５ｂによってラッチングリレー３を接点３ｂ側に接続し、信号５ａによってａ接点リレー４を開く。ａ接点リレー４が開くと、交流電源１から制御手段５と電源周波数検知手段６への電力供給が遮断される。
【００３０】
ここで、扉体３９を開けて洗濯物を取り出した後で、扉体３９を閉じると、扉体スイッチ２は、接点２ｂ側に接続される。この状態で予め決めておいた時間が経過すると、制御手段５は信号５ｂによってラッチングリレー３を接点３ｂ側に接続し、その後、制御手段５は信号５ａによってａ接点リレー４を開く。
【００３１】
この時、制御手段５と電源周波数検知手段６は、扉体スイッチ２およびラッチングリレー３を経由して交流電源１からの電力供給が継続されるため起動したままである。
【００３２】
制御手段５は、ａ接点リレー４を開いた後も、電源周波数検知手段６からの電源周波数情報が伝達され続けていることを検知すると、信号５ｂによってラッチングリレー３を接点３ａ側に接続する。ラッチングリレー３を接点３ａ側に接続すると、交流電源１から制御手段５と電源周波数検知手段６への電力供給が遮断される。
【００３３】
次回の洗濯をする時には、電力供給は遮断されており、扉体３９が開いていれば、扉体スイッチ２は接点２ａ側に接続され、ラッチングリレー３は接点３ｂ側に接続されており、ａ接点リレー４は開いている。
【００３４】
洗濯物と洗剤を入れ、扉体３９を閉じると、扉体スイッチ２は接点２ｂ側に接続され、ラッチングリレー３は接点３ｂ側に接続されているので、扉体スイッチ２およびラッチングリレー３を経由して、制御手段５と電源周波数検知手段６に電力が供給され、制御手段５と電源周波数検知手段６が起動する。起動した電源周波数検知手段６は、検知した電源周波数情報を信号６ａによって制御手段５に伝達する。
【００３５】
起動した制御手段５は、信号５ａによってａ接点リレー４を閉じ、扉体開閉検知手段７からの信号７ａによって扉体３９の開閉状態を検知する。扉体３９の閉状態を検知することにより、運転を開始することができる。
【００３６】
また、もし運転動作の途中で停電が発生した場合は、電源周波数検知手段６からの電源周波数情報が届かなくなったことを検知した制御手段５は、現在の動作進行状況を記憶手段（図示せず）に記憶する。
【００３７】
その後、電源が回復したとき、交流電源１から扉体スイッチ２およびラッチングリレー３を経由して制御手段５と電源周波数検知手段６に電力が供給され、制御手段５と電源周波数検知手段６が起動されると、制御手段５は記憶していた動作進行状況から動作を継続する。
【００３８】
以上のように、本実施の形態においては、電源制御装置１０は、扉体スイッチ２と直列に接続されたラッチングリレー３と、扉体スイッチ２とラッチングリレー３のそれぞれの共通端子を接続するａ接点リレー４とを有し、扉体３９の開閉により、扉体スイッチ２およびラッチングリレー３を介して制御手段５に対して、電力を供給して起動させ、あるいは、電力を遮断する構成とすることにより、扉体３９の開閉によって制御手段５を起動、停止することができるので、洗濯機未使用時には電力を消費せず、省エネルギーを実現することができる。
【００３９】
また、扉体３９を閉めて行った運転の終了時に、ラッチングリレー３の接点を切り換えて扉体スイッチ２との接続を遮断するとともに、ａ接点リレー４の接点を開にして、交流電源１の電力を遮断する構成とすることにより、扉体３９の開閉によって制御手段５を起動、停止することができるので、洗濯機未使用時には電力を消費せず、省エネルギーを実現することができる。
【００４０】
また、扉体スイッチ２およびラッチングリレー３を介して電力が供給され、かつ、モータ２５などの負荷が所定時間動作しない時に、ラッチングリレー３の接点を切り換えて扉体スイッチ２との接続を遮断するとともに、ａ接点リレー４の接点を開にして、交流電源１の電力を遮断する構成とすることにより、扉体３９の開閉によって制御手段５を起動、停止することができるので、洗濯機未使用時には電力を消費せず、省エネルギーを実現することができる。
【産業上の利用可能性】
【００４１】
以上のように、本発明にかかる洗濯機は、扉体の開閉によって制御手段を起動、停止することにより、洗濯機未使用時には電力を消費せず、省エネルギーを実現することができるので、縦型など他の洗濯機の用途に適用できる。
【符号の説明】
【００４２】
１  交流電源
２  扉体スイッチ
３  ラッチングリレー
４  ａ接点リレー
５  制御手段
６  電源周波数検知手段
７  扉体開閉検知手段
１０  電源制御装置
２１  外箱
２２  水槽ユニット
２３  水槽
２４  回転ドラム
２５  モータ
３４  操作表示部
３９  扉体
【図１】
2020188969.tif 000003
【図２】
2020188969.tif 000004
【図３】
2020188969.tif 000005